【手続補正書】
【提出日】平成17年7月8日(2005.7.8)
【手続補正１】
【補正対象書類名】明細書
【補正対象項目名】特許請求の範囲
【補正方法】変更
【補正の内容】
【特許請求の範囲】
【請求項１】  互いに関係し合い共に単一のプログラムを構成する内容を有する、予め記録された一連のプログラム要素から選択される一続きのプログラム要素から構成される編集プログラムを生成する方法において、
上記プログラム要素が、各プログラム要素が予め決められた種類の組の少なくとも１つに割り当てられ、また、同じ種類に割り当てられた全プログラム要素が、通常のプログラム内容の特徴をあらわすように、プログラム要素の内容のカテゴリに基づいて、単一のプログラムのプロデューサにより分類され、
各プログラム要素が、関連プログラム要素が割り当てられた種類を識別する、少なくとも１つの関連プログラム分類コードを有して格納され、
上記編集プログラムが、少なくとも１つのプログラム分類コードを選択し、また、上記少なくとも１つのプログラム分類コードと関連したプログラム要素を提供することにより生成され、
関連した格納された各プログラム要素の種類をあらわすアイコンが表示デバイスのオペレータに対して表示され、
上記オペレータが、関連したアイコンの選択により、上記表示デバイスによる提供用のプログラム要素を選択することを特徴とするプログラム生成方法。
【請求項２】  各プログラム要素が、該要素が関係するイベントのタイプを参照することにより分類されることを特徴とする請求項１記載のプログラム生成方法。
【請求項３】  各プログラム要素が、該要素の価値の主観的な評価を参照することにより分類されることを特徴とする請求項１記載のプログラム生成方法。
【請求項４】  上記関連プログラム要素によりあらわされるイベントの時間経過順に対応した順序で、記号が表示されることを特徴とする請求項１〜請求項３のいずれか一に記載のプログラム生成方法。
【請求項５】  上記オペレータが、上記種類の部分的な組を選択し、種類の部分的な組のプログラム要素にのみ対応するアイコンが表示されることを特徴とする請求項１〜請求項４のいずれか一に記載のプログラム生成方法。
【請求項６】  プログラムが、同時に提供される複数のプログラム要素を副んで、生成されることを特徴とする請求項１〜請求項５のいずれか一に記載のプログラム生成方法。
【請求項７】  ビデオ及びオーディオのプログラム要素が、同時に提供されることを特徴とする請求項６記載のプログラム生成方法。
【請求項８】  スチール画像及びビデオのプログラム要素が、同時に提供されることを特徴とする請求項６又は７に記載のプログラム生成方法。
【請求項９】  上記プログラム要素が送信され、それに関連したプログラム分類コードを有して、上記オペレータの表示デバイスに格納されることを特徴とする請求項１〜請求項８のいずれか一に記載のプログラム生成方法。
【請求項１０】  上記表示デバイスのオペレータにより選択される種類の部分的な組に関連したプログラム要素のみが、上記表示デバイスに送信されることを特徴とする請求項９記載のプログラム生成方法。
【請求項１１】  上記表示デバイスのオペレータにより選択される種類の部分的な組に対応する、受信されたプログラム要素のみが、上記表示デバイスに格納されることを特徴とする請求項９又は１０に記載のプログラム生成方法。
【請求項１２】  上記表示デバイスのメモリデバイスにおけるデータキャリアに格納される、受信されたプログラム要素及び予め記録されたプログラム要素が、上記プログラムを生成するために組み合せられることを特徴とする請求項９，１０又は１１に記載のプログラム生成方法。
【請求項１３】  少なくとも１つの格納されたプログラム要素が、生成されたプログラムにおける該プログラム要素の継続時間が、上記表示デバイスへ該プログラム要素のデータパケットを送信するのにかかる時間よりも短いように、読み出されることを特徴とする請求項９，１０又は１１に記載のプログラム生成方法。
【請求項１４】  生成された上記プログラムが、送信されたプログラム要素の反復を有することを特徴とする請求項１３記載のプログラム生成方法。
【請求項１５】  特定のプログラム要素により表されるイベントにリンクされる広告が、そのプログラム要素とともに連続して若しくは並行して提供されることを特徴とする請求項１〜請求項１４のいずれか一に記載のプログラム生成方法。
【請求項１６】  上記オペレータが、関心のある種類を識別する分類コードを選択し、また、上記オペレータが、選択された関心のある分類のプログラム要素の提供に関し、警告されることを特徴とする請求項１〜請求項１５のいずれか一に記載のプログラム生成方法。
【請求項１７】  プログラム要素が、上記分類コードが、関連したプログラム要素の価値の主観的な指示をあらわすように、種類に割り当てられることを特徴とする請求項１〜請求項１６のいずれか一に記載のプログラム生成方法。
【請求項１８】  上記オペレータが、域値を越える主観的な価値を有するプログラム要素をあわらすコードを選択することを特徴とする請求項１７記載のプログラム生成方法。
【請求項１９】  上記アイコンが、提供されるプログラム要素と同時に表示デバイスのオペレータに対して表示されることを特徴とする請求項１〜請求項１８のいずれか一に記載のプログラム生成方法。
【請求項２０】  予め記録されたプログラム要素の組から一続きのプログラム要素として提供されるプログラムを生成する装置において、
関連したプログラム分類コードであって、それぞれ、プログラム要素の内容に基づき、関連したプログラム要素が割り当てられる予め決められた組から選択される種類を識別する分類コードとともに、プログラム要素を格納するための手段と、
少なくとも１つのプログラム分類コードを選択するための手段と、
上記選択された少なくとも１つのプログラム分類コードに関連したプログラム要素を提供することにより、プログラムを生成するための手段であって、表示デバイスのオペレータに対して、関連した格納済みのプログラム要素の種類をあらわすアイコンを表示するために提供され、また、表示されたアイコンを選択し、それにより上記表示デバイスによる提供用の関連したプログラム要素を選択するために、オペレータによる操作のために提供される手段と、を有していることを特徴とするプログラム生成装置。
【請求項２１】  予め記録されたプログラム要素の組から一続きのプログラム要素として提供されるプログラムを生成する方法において、
プログラム要素の内容に基づき、各プログラム要素が、予め決められた組の種類の少なくとも１つに割り当てられるように、また、少なくとも１つの種類に割り当てられた他のプログラム要素とは別個に少なくとも１つの種類に対して分類されるように、プログラム要素を分類し、
少なくとも１つの関連したプログラム要素の分類コードであって、該関連したプログラム要素が割り当てられた種類を識別する分類コードとともに、それぞれ分類されたプログラム要素を格納し、
少なくとも１つのプログラム分類コードを選択し、上記少なくとも１つの分類コードに関連した少なくとも１つのプログラム要素を提供することにより、ユーザの表示デバイス上における提供用のプログラムを生成するステップを有し、
上記少なくとも１つの分類コードを選択するステップが、上記ユーザの表示デバイス上に関連したプログラム要素の種類をあらわしユーザが選択可能な記号を表示し、また、ユーザにより選択された少なくとも１つの記号に対応するユーザの入力を受けるステップを有し、
上記ユーザが選択可能な記号が、プログラムの提供と同時に、ユーザの表示デバイス上における表示用に提供されることを特徴とするプログラム生成方法。
【請求項２２】  各プログラム要素が、上記要素が関係するイベントのタイプを基準として分類されることを特徴とする請求項２１記載のプログラム生成方法。
【請求項２３】  予め記録されたプログラム要素の組から一続きのプログラム要素として提供されるプログラムを生成する方法において、
プログラム要素の内容に基づき、各プログラム要素が、予め決められた組の種類の少なくとも１つに割り当てられるように、プログラム要素を分類し、
少なくとも１つの関連したプログラム要素の分類コードであって、該関連したプログラム要素が割り当てられた種類を識別する分類コードとともに、それぞれ分類されたプログラム要素を格納し、
少なくとも１つのプログラム分類コードを選択し、上記少なくとも１つの分類コードに関連したプログラム要素を提供することにより、ユーザの表示デバイス上における提供用のプログラムを生成するステップを有し、
上記少なくとも１つの分類コードを選択するステップが、上記ユーザの表示デバイス上に関連したプログラム要素の種類をあらわしユーザが選択可能な記号を表示し、また、ユーザにより選択された少なくとも１つの記号に対応するユーザの入力を受けるステップを有し、
上記各プログラム要素が、低い価値から高い価値まで広がる価値の範囲内で価値の主観的な評価を基準として分類されることを特徴とするプログラム生成方法。